(57)【要約】【課題】バラバラな状態の一対のフィンを簡単な操作で一纏めにすることができ、且つ適宜の留め環を介して、ダイバーなどが身に纏う装備品類の環状部材に引掛けて、一対のフィンを手で保持することなく、ダイビングポイントまで安全に移動することができるようになしたフィンホルダーを提供する。【解決手段】フィン本体１０の長手方向側縁部にリブ突片１１が設けられているタイプの一対のフィンを保持する保持手段を設けてなるフィンホルダーであって、前記保持手段はフィン本体の長手方向側縁部に設けられているリブ突片１１の非嵩高部１１ａを挿通し得る一対の開口部１４を形成すると共に、前記リブ突片１１の嵩高部１１ｂを抱持可能な一対の抱持部３を形成した。【選択図】図１
2018164705.tif 000002
【特許請求の範囲】
【請求項１】
フィン本体の長手方向側縁部にリブ突片が設けられているタイプの一対のフィンを保持する保持手段を設けてなるフィンホルダーであって、前記保持手段はフィン本体の長手方向側縁部に設けられているリブ突片の非嵩高部を挿通し得る一対の開口部を形成すると共に、前記リブ突片の嵩高部を抱持可能な一対の抱持部を形成してなることを特徴とするフィンホルダー。
【請求項２】
ダイバーの足のヒール部をストラップによって留め付けるストラップタイプの一対のフィンを保持する保持手段を設けてなるフィンホルダーであって、前記保持手段はフィン本体における足挿着用開口部の周囲に設けられているストラップ係止用のバックル内に係合させる一対の係合爪であることを特徴とするフィンホルダー。
【請求項３】
フィンホルダー本体の任意の一方の側に、前記した一対の開口部と抱持部とからなる保持手段を設けると共に、他方の側に前記ストラップ係止用のバックル内に係合させる一対の係合爪からなる保持手段を設けたことを特徴とするフィンホルダー。
【請求項４】
フィンホルダー本体に、留め環を取付けるための任意形状の環状部を形成してなることを特徴とする請求項１ないし請求項３のいずれか１項に記載のフィンホルダー。
【発明の詳細な説明】
【技術分野】
【０００１】
本発明はシュノーケリングやスキンダイビング、あるいはスキューバダイビングの際に用いられる一対のフィン（足ひれ）を保持するためのフィンホルダーに関する。
【背景技術】
【０００２】
シュノーケリングやスキューバダイビングに代表されるマリンスポーツにはフィンが不可欠であり、例えば通常のスキューバダイビングでは、比較的重量のあるエアタンクやスキューバ用ジャケットないし背負子、マスク、レギュレータなど必要装備品と共に、一対のフィンを手に持ってダイビングポイントまで移動しなければならない。
【０００３】
下記の特許文献１には、曲がり易いが比較的硬いブレードと、このブレードの基端部付近にダイバーなどの足全体を収容する足収容部を一体的に設けたフルフットタイプの足ひれが開示されている。また、特許文献２には、ダイバーなどの足のヒール部をストラップによって留め付けるストラップタイプの足ひれが開示されている。
【先行技術文献】
【特許文献】
【０００４】
【特許文献１】特開平６−１７８８２８
【特許文献２】特開２００３−１８２６８５
【発明の概要】
【発明が解決しようとする課題】
【０００５】
前記した従来のフィン（足ひれ）には、一対のフィンを簡単な操作で一纏めにして、適宜の装備品に設けられている環状部材などに取付けることができるような工夫がなされていなかったため、一対のフィンを手に携えてダイビングポイントまで移動するのを余儀なくされていた。
【０００６】
特に、前記したスキューバダイビングの装備品一式の総重量は２０Ｋｇ前後にもなり、フィン以外の装備品を身に纏い、一対のフィンを手で保持して入水位置まで移動するのに困難を伴うことが多い。特に、場所によっては急勾配の岩場や、歩き難い砂地の場合もあり、また、船に乗下船する際の桟橋など滑り易い場所が多く、２０Ｋｇ前後の装備品を装着し、一対のフィンを手に持っての徒行は非常に危険なことである。
【０００７】
また、装備品は使用後、付着した海水を真水で洗浄した後、物干し竿等を利用して干すのが一般的であるが、フィンについては通常地面に置いて干すのが普通であった。その際に、フィンに砂や土などが付着するという問題点があった。
【０００８】
本発明はバラバラな状態の一対のフィンを簡単な操作で一纏めにすることができると共に、適宜のフックやカラビナなどの留め環を使用して、ダイバーなどが身に纏う装備品類に通常設けられている金属製または樹脂製の環状部材に引掛けて、一対のフィンを手で保持することなく、ダイビングポイントまで安全に移動することができるようになしたフィンホルダーを提供することを目的とするものである。
【課題を解決するための手段】
【０００９】
上記課題を解決するための本発明に係るフィンホルダーの構成を詳述すれば、請求項１に係る発明は、フィン本体の長手方向側縁部にリブ突片が設けられているタイプの一対のフィンを保持する保持手段を設けてなるフィンホルダーであって、前記保持手段はフィン本体の長手方向側縁部に設けられているリブ突片の非嵩高部を挿通し得る一対の開口部を形成すると共に、前記リブ突片の嵩高部を抱持可能な一対の抱持部を形成してなることを特徴とするフィンホルダーである。
【００１０】
請求項２に係る発明は、ダイバーの足のヒール部をストラップによって留め付けるストラップタイプの一対のフィンを保持する保持手段を設けてなるフィンホルダーであって、前記保持手段はフィン本体における足挿着用開口部の周囲に設けられているストラップ係止用のバックル内に係合させる一対の係合爪であることを特徴とするフィンホルダーである。
【００１１】
また、請求項３に係る発明は、フィンホルダー本体の任意の一方の側に、前記した一対の開口部と抱持部とからなる保持手段を設けると共に、他方の側に前記ストラップ係止用のバックル内に係合させる一対の係合爪からなる保持手段を設けたことを特徴とするフィンホルダーである。
【００１２】
さらに、請求項４に係る発明は、フィンホルダー本体に、留め環を取付けるための任意形状の環状部を形成してなることを特徴とする請求項１ないし請求項３のいずれか１項に記載のフィンホルダーである。
【発明の効果】
【００１３】
本発明に係るフィンホルダーによれば、通常バラバラな状態である一対のフィンを簡単な操作で一纏めにすることができると共に、市販されている適宜のフックやカラビナなどの留め環を用いて装備品、例えばエアタンクを背負うための背負子などに設けられている概ね金属製または樹脂製の環状部材に引掛けることにより、一対のフィンを手に持つことなく、ダイビングポイントまで安全に移動することができるようになる。
また、使用後において真水による洗浄の後、天日により干す場合も、フックやカラビナなどで適宜箇所に吊るすことが可能となり、直接地面に置かずに干すことができるのでフィン本体に砂や土が付着するのを防ぐことができる。
【図面の簡単な説明】
【００１４】
【図１】本発明に係るフィンホルダーの一例を示す斜視図である。
【図２】図１に示すフィンホルダーの正面図である。
【図３】本発明に係るフィンホルダーの他の実施形態を示す斜視図である。
【図４】図３に示すフィンホルダーの側面図である。
【図５】本発明に係るフィンホルダーのさらに他の実施形態を示す斜視図である。
【図６】図５に示すフィンホルダーの側面図である。
【図７】図１に示すフィンホルダーを用いて一対のフィンのリブ突片に挿着した状態を示す斜視図である。
【図８】図７のリブ突片に挿着した部分の拡大図である。
【図９】図３に示すフィンホルダーの使用状態の一例を示す斜視図である。
【図１０】図９の要部拡大図である。
【発明を実施するための形態】
【００１５】
以下、本発明に係るフィンホルダーの具体的構成を図示の実施形態に基づき詳細に説明する。
【００１６】
なお、以下に示す実施形態は、本発明に係るフィンホルダーの一例を示すものであって、本発明は以下の構成に限定されるものではない。特に実施の形態に記載されている構成部品の材質、形状、相対的配置等は、特定的な記載がない限り本発明の範囲をそれのみに限定する趣旨ではなく、単なる説明例に過ぎないものである。また、各図面が示す部材の大きさや位置関係等は説明を明確にするために誇張していることがある。
【００１７】
図１及び図２に示す実施形態のフィンホルダーは、図７に示すようなフィン本体１０の長手方向側縁部にリブ突片１１が設けられているタイプの一対のフィンを対象としたものである。フィンホルダー本体１は耐衝撃性や耐光性などに優れた特性を示現するＡＢＳ樹脂、ポリアセタール樹脂、ポリカーボネート樹脂、ナイロン樹脂などの高分子材料を用いて射出成形などにより製されるもので、フィン本体１０の長手方向側縁部に設けられているリブ突片１１の非嵩高部１１ａ、すなわち、フィン本体１０のブレード部１２における先端部両側縁のリブ突片１１の始まりの箇所で突出高さが低くなっている部分を挿通し得る一対の開口部２，２を形成すると共に、前記リブ突片１１の嵩高部１１ｂを抱持可能な一対の抱持部３を形成してなるものである。
【００１８】
フィン本体１０のリブ突片１１は大きな推進力を得られるようにするため、ブレード部１２の先端部から、基端部、すなわちダイバーの足を入れるフットポケット部１３方向に向けて徐々に嵩高状に形成されており、ブレード部１２の先端部側縁における比較的高さの低いリブ突片（非嵩高部１１ａ）を、フィンホルダー本体１の前記開口部２を通して内側の比較的大きなスペースよりなる抱持部３内に引き込んでから、フィン本体１０の前記基端部方向に向けフィンホルダー本体１をスライドさせる。すると、フィンホルダー本体１はリブ突片１１の嵩高部１１ｂに至り、フィンホルダー本体１の抱持部３の内壁面にリブ突片１１の外周部が当接して係合状態となり、同様の操作で、もう一方のフィン本体１０のリブ突片１１にもフィンホルダー本体１の抱持部３を係合させる。この操作によって、バラバラな状態の一対のフィン本体１０を簡単に一纏めにすることができる。
【００１９】
フィンホルダー本体１の外周部には、市販されている適宜のフックやカラビナなどの留め環（図示せず）を取付けるための任意形状の環状部４を形成してあり、当該環状部４内に例えばカラビナを取付け、当該カラビナを介してエアタンクを背負うための背負子などに設けられている図示しない環状部材に引掛けることにより、一対のフィン本体１０を手に持たずにダイビングポイントまで安全に移動することができるようになる。
【００２０】
次に、図３及び図４に示す実施形態のフィンホルダーは、図９に示すようなダイバーの足のヒール部をストラップによって留め付けるストラップタイプの一対のフィンを対象としたものである。
この実施形態におけるフィンホルダー本体１は、フィン本体１０における足挿着用開口部１４の周囲に設けられているストラップ係止用のバックル１５内に係合させる一対の係合爪５を具備している。
【００２１】
すなわち、ストラップを用いてダイバーの足のヒール部を留め付けるタイプのフィン本体１０には、足挿着用開口部１４の周囲にストラップ係止用のバックル１５が取付けられており、フィン本体１０を足に装着するには、図示しないストラップの必要長さを調節してからストラップの先端部に取付けられている係止爪を具備した係止部材をバックル１５内に一定深さ挿着して係止爪をバックル１５内に設けられている段部１６に係止させる。
【００２２】
この実施形態において、バラバラな状態の一対のフィン本体１０を一纏めにするには、ストラップの何れか一方の端部の係止部材の係合状態を解除してから、本発明に係るフィンホルダー本体１の保持手段である係合爪５をバックル１５内に挿着する。すると、係合爪５はガイド部材６によって案内されてバックル１５内をスムーズに一定深さまで進入することができ、係合爪５の中間部付近外側に設けられている段部７がバックル１５内の切欠部１６に引っ掛かって係合状態となり、保持された状態を得ることができる。
【００２３】
同様の操作を繰り返すことにより、一対のフィン本体１０をフィンホルダー本体１を介して一纏めにすることができる。前記した実施形態の場合と同様に、フィンホルダー本体１の外周部には、任意形状の環状部４を形成してあり、当該環状部４内に、留め環としての例えばカラビナを取付け、当該カラビナを介してエアタンクを背負うための背負子などに設けられている環状部材に引掛けることによって、一対のフィン本体１０を手に持たずにダイビングポイントまで安全に移動することができるようになる。
【００２４】
なお、フィンホルダー本体１を解除するには、バックル１５に設けられている前記切欠部１６内に位置している両方の係合爪５，５を親指と人差し指で互いに内側に押し込むことによって簡単に行なうことができる。すなわち、バックル１５の両側に設けられている切欠部１６，１６内にあらわれているフィンホルダー本体１の係合爪５，５は前記したように高分子材料により製されており、当該高分子材料が有する弾性特性に基づき係合爪５，５の両側を内方へ押し込むことによりバックル１５とフィンホルダー本体１の係合状態が解除されるものである。
【００２５】
次に、図５及び図６に示す実施形態は、前記した２つの実施形態に係る保持手段を合体させて構成したものであり、フィンホルダー本体１の任意の一方の側に、前記した一対の開口部２と抱持部３とからなる保持手段を設けると共に、他方の側に前記ストラップ係止用のバックル１５内に係合させる一対の係合爪５からなる保持手段を設けたものであり、その使用方法は前記した実施形態の場合と同様であるから詳細な説明は省略する。
この実施形態のフィンホルダーの場合には、一つのホルダーで二通りの使い方ができ、一層便利なフィンホルダーを提供することができる。
【００２６】
以上のように、本発明によれば、バラバラな状態の一対のフィンを簡単な操作で一纏めにすることができ、且つ適宜のフックやカラビナなどの留め環を介して、ダイバーなどが身に纏う装備品類に通常設けられている環状部材に引掛けることにより、一対のフィンを手で保持する不便を解消することができ、ダイビングポイントまで安全に移動することができるようになる。
【符号の説明】
【００２７】
１：フィンホルダー本体
２：開口部
３：抱持部
４：環状部
５：係合爪
６：ガイド部材
７：段部
１０：フィン本体
１１：リブ突片
１１ａ：非嵩高部
１１ｂ：嵩高部
１２：ブレード部
１３：フットポケット部
１４：足装着用開口部
１５：バックル
１６：切欠部
【図１】
2018164705.tif 000003
【図２】
2018164705.tif 000004
【図３】
2018164705.tif 000005
【図４】
2018164705.tif 000006
【図５】
2018164705.tif 000007
【図６】
2018164705.tif 000008
【図７】
2018164705.tif 000009
【図８】
2018164705.tif 000010
【図９】
2018164705.tif 000011
【図１０】
2018164705.tif 000012
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
長手方向側縁部にリブ突片が設けられている一対のフィンを重ね合わせた状態で一纏めにして保持する保持手段を設けてなるフィンホルダーであって、フィンホルダー本体は下面側に左右一対の開口部を形成すると共に、当該左右一対の開口部に連続して前記リブ突片の嵩高部を抱持可能な一対の抱持部を形成してなり、前記開口部は、フィン本体のブレード部における先端部側縁に設けられているリブ突片の始まりの箇所で突出高さが低くなっている部分を挿通し得るだけの一対の開口部となっており、抱持部は前記開口部に連続して比較的大きなスペースを有しており、開口部を通してフィンホルダー本体内に引き込んだリブ突片をスライドさせて、フィンホルダー本体の抱持部の内壁面にリブ突片の嵩高部外周面を当接させ係合状態となして一対のフィンを一纏めに保持できるようにしたことを特徴とするフィンホルダー。
【請求項２】
ダイバーの足のヒール部をストラップによって留め付けるストラップタイプの一対のフィンを重ね合わせた状態で一纏めにして保持する保持手段を設けてなるフィンホルダーであって、フィンホルダー本体は長手方向両端部下面側にそれぞれ係合爪を突設してなり、当該一対の係合爪をフィン本体における足挿着用開口部の周囲に設けられているストラップ係止用の一対のバックル内に一定深さまでそれぞれ進入させ、係合爪の中間部付近外側に設けられている段部をバックル内の切欠部に係合させ、一対のフィンを一纏めに保持できるようにしたことを特徴とするフィンホルダー。
【請求項３】
フィンホルダー本体に、留め環を取付けるための任意形状の環状部を形成してなることを特徴とする請求項１または請求項２に記載のフィンホルダー。
【手続補正２】
【補正対象書類名】明細書
【補正対象項目名】全文
【補正方法】変更
【補正の内容】
【発明の詳細な説明】
【技術分野】
【０００１】
本発明はシュノーケリングやスキンダイビング、あるいはスキューバダイビングの際に用いられる一対のフィン（足ひれ）を保持するためのフィンホルダーに関する。
【背景技術】
【０００２】
シュノーケリングやスキューバダイビングに代表されるマリンスポーツにはフィンが不可欠であり、例えば通常のスキューバダイビングでは、比較的重量のあるエアタンクやスキューバ用ジャケットないし背負子、マスク、レギュレータなど必要装備品と共に、一対のフィンを手に持ってダイビングポイントまで移動しなければならない。
【０００３】
下記の特許文献１には、曲がり易いが比較的硬いブレードと、このブレードの基端部付近にダイバーなどの足全体を収容する足収容部を一体的に設けたフルフットタイプの足ひれが開示されている。また、特許文献２には、ダイバーなどの足のヒール部をストラップによって留め付けるストラップタイプの足ひれが開示されている。
【先行技術文献】
【特許文献】
【０００４】
【特許文献１】特開平６−１７８８２８
【特許文献２】特開２００３−１８２６８５
【発明の概要】
【発明が解決しようとする課題】
【０００５】
前記した従来のフィン（足ひれ）には、一対のフィンを簡単な操作で一纏めにして、適宜の装備品に設けられている環状部材などに取付けることができるような工夫がなされていなかったため、一対のフィンを手に携えてダイビングポイントまで移動するのを余儀なくされていた。
【０００６】
特に、前記したスキューバダイビングの装備品一式の総重量は２０Ｋｇ前後にもなり、フィン以外の装備品を身に纏い、一対のフィンを手で保持して入水位置まで移動するのに困難を伴うことが多い。特に、場所によっては急勾配の岩場や、歩き難い砂地の場合もあり、また、船に乗下船する際の桟橋など滑り易い場所が多く、２０Ｋｇ前後の装備品を装着し、一対のフィンを手に持っての徒行は非常に危険なことである。
【０００７】
また、装備品は使用後、付着した海水を真水で洗浄した後、物干し竿等を利用して干すのが一般的であるが、フィンについては通常地面に置いて干すのが普通であった。その際に、フィンに砂や土などが付着するという問題点があった。
【０００８】
本発明はバラバラな状態の一対のフィンを簡単な操作で一纏めにすることができると共に、適宜のフックやカラビナなどの留め環を使用して、ダイバーなどが身に纏う装備品類に通常設けられている金属製または樹脂製の環状部材に引掛けて、一対のフィンを手で保持することなく、ダイビングポイントまで安全に移動することができるようになしたフィンホルダーを提供することを目的とするものである。
【課題を解決するための手段】
【０００９】
上記課題を解決するための本発明に係るフィンホルダーの構成を詳述すれば、請求項１に係る発明は、長手方向側縁部にリブ突片が設けられている一対のフィンを重ね合わせた状態で一纏めにして保持する保持手段を設けてなるフィンホルダーであって、フィンホルダー本体は下面側に左右一対の開口部を形成すると共に、当該左右一対の開口部に連続して前記リブ突片の嵩高部を抱持可能な一対の抱持部を形成してなり、前記開口部は、フィン本体のブレード部における先端部側縁に設けられているリブ突片の始まりの箇所で突出高さが低くなっている部分を挿通し得るだけの一対の開口部となっており、抱持部は前記開口部に連続して比較的大きなスペースを有しており、開口部を通してフィンホルダー本体内に引き込んだリブ突片をスライドさせて、フィンホルダー本体の抱持部の内壁面にリブ突片の嵩高部外周面を当接させ係合状態となして一対のフィンを一纏めに保持できるようにしたことを特徴とするフィンホルダーである。
【００１０】
請求項２に係る発明は、ダイバーの足のヒール部をストラップによって留め付けるストラップタイプの一対のフィンを重ね合わせた状態で一纏めにして保持する保持手段を設けてなるフィンホルダーであって、フィンホルダー本体は長手方向両端部下面側にそれぞれ係合爪を突設してなり、当該一対の係合爪をフィン本体における足挿着用開口部の周囲に設けられているストラップ係止用の一対のバックル内に一定深さまでそれぞれ進入させ、係合爪の中間部付近外側に設けられている段部をバックル内の切欠部に係合させ、一対のフィンを一纏めに保持できるようにしたことを特徴とするフィンホルダーである。
【００１１】
また、請求項３に係る発明は、フィンホルダー本体に、留め環を取付けるための任意形状の環状部を形成してなることを特徴とする請求項１または請求項２に記載のフィンホルダーである。
【発明の効果】
【００１２】
本発明に係るフィンホルダーによれば、通常バラバラな状態である一対のフィンを簡単な操作で一纏めにすることができると共に、市販されている適宜のフックやカラビナなどの留め環を用いて装備品、例えばエアタンクを背負うための背負子などに設けられている概ね金属製または樹脂製の環状部材に引掛けることにより、一対のフィンを手に持つことなく、ダイビングポイントまで安全に移動することができるようになる。
また、使用後において真水による洗浄の後、天日により干す場合も、フックやカラビナなどで適宜箇所に吊るすことが可能となり、直接地面に置かずに干すことができるのでフィン本体に砂や土が付着するのを防ぐことができる。
【図面の簡単な説明】
【００１３】
【図１】本発明に係るフィンホルダーの一例を示す斜視図である。
【図２】図１に示すフィンホルダーの正面図である。
【図３】本発明に係るフィンホルダーの他の実施形態を示す斜視図である。
【図４】図３に示すフィンホルダーの側面図である。
【図５】本発明に係るフィンホルダーのさらに他の実施形態を示す斜視図である。
【図６】図５に示すフィンホルダーの側面図である。
【図７】図１に示すフィンホルダーを用いて一対のフィンのリブ突片に挿着した状態を示す斜視図である。
【図８】図７のリブ突片に挿着した部分の拡大図である。
【図９】図３に示すフィンホルダーの使用状態の一例を示す斜視図である。
【図１０】図９の要部拡大図である。
【発明を実施するための形態】
【００１４】
以下、本発明に係るフィンホルダーの具体的構成を図示の実施形態に基づき詳細に説明する。
【００１５】
なお、以下に示す実施形態は、本発明に係るフィンホルダーの一例を示すものであって、本発明は以下の構成に限定されるものではない。特に実施の形態に記載されている構成部品の材質、形状、相対的配置等は、特定的な記載がない限り本発明の範囲をそれのみに限定する趣旨ではなく、単なる説明例に過ぎないものである。また、各図面が示す部材の大きさや位置関係等は説明を明確にするために誇張していることがある。
【００１６】
図１及び図２に示す実施形態のフィンホルダーは、図７に示すようなフィン本体１０の長手方向側縁部にリブ突片１１が設けられているタイプの一対のフィンを対象としたものである。フィンホルダー本体１は耐衝撃性や耐光性などに優れた特性を示現するＡＢＳ樹脂、ポリアセタール樹脂、ポリカーボネート樹脂、ナイロン樹脂などの高分子材料を用いて射出成形などにより製されるもので、フィン本体１０の長手方向側縁部に設けられているリブ突片１１の非嵩高部１１ａ、すなわち、フィン本体１０のブレード部１２における先端部両側縁のリブ突片１１の始まりの箇所で突出高さが低くなっている部分を挿通し得る一対の開口部２，２を形成すると共に、前記リブ突片１１の嵩高部１１ｂを抱持可能な一対の抱持部３を形成してなるものである。
【００１７】
フィン本体１０のリブ突片１１は大きな推進力を得られるようにするため、ブレード部１２の先端部から、基端部、すなわちダイバーの足を入れるフットポケット部１３方向に向けて徐々に嵩高状に形成されており、ブレード部１２の先端部側縁における比較的高さの低いリブ突片（非嵩高部１１ａ）を、フィンホルダー本体１の前記開口部２を通して内側の比較的大きなスペースよりなる抱持部３内に引き込んでから、フィン本体１０の前記基端部方向に向けフィンホルダー本体１をスライドさせる。すると、フィンホルダー本体１はリブ突片１１の嵩高部１１ｂに至り、フィンホルダー本体１の抱持部３の内壁面にリブ突片１１の外周部が当接して係合状態となり、同様の操作で、もう一方のフィン本体１０のリブ突片１１にもフィンホルダー本体１の抱持部３を係合させる。この操作によって、バラバラな状態の一対のフィン本体１０を簡単に一纏めにすることができる。
【００１８】
フィンホルダー本体１の外周部には、市販されている適宜のフックやカラビナなどの留め環（図示せず）を取付けるための任意形状の環状部４を形成してあり、当該環状部４内に例えばカラビナを取付け、当該カラビナを介してエアタンクを背負うための背負子などに設けられている図示しない環状部材に引掛けることにより、一対のフィン本体１０を手に持たずにダイビングポイントまで安全に移動することができるようになる。
【００１９】
次に、図３及び図４に示す実施形態のフィンホルダーは、図９に示すようなダイバーの足のヒール部をストラップによって留め付けるストラップタイプの一対のフィンを対象としたものである。
この実施形態におけるフィンホルダー本体１は、フィン本体１０における足挿着用開口部１４の周囲に設けられているストラップ係止用のバックル１５内に係合させる一対の係合爪５を具備している。
【００２０】
すなわち、ストラップを用いてダイバーの足のヒール部を留め付けるタイプのフィン本体１０には、足挿着用開口部１４の周囲にストラップ係止用のバックル１５が取付けられており、フィン本体１０を足に装着するには、図示しないストラップの必要長さを調節してからストラップの先端部に取付けられている係止爪を具備した係止部材をバックル１５内に一定深さ挿着して係止爪をバックル１５内に設けられている段部１６に係止させる。
【００２１】
この実施形態において、バラバラな状態の一対のフィン本体１０を一纏めにするには、ストラップの何れか一方の端部の係止部材の係合状態を解除してから、本発明に係るフィンホルダー本体１の保持手段である係合爪５をバックル１５内に挿着する。すると、係合爪５はガイド部材６によって案内されてバックル１５内をスムーズに一定深さまで進入することができ、係合爪５の中間部付近外側に設けられている段部７がバックル１５内の切欠部１６に引っ掛かって係合状態となり、保持された状態を得ることができる。
【００２２】
同様の操作を繰り返すことにより、一対のフィン本体１０をフィンホルダー本体１を介して一纏めにすることができる。前記した実施形態の場合と同様に、フィンホルダー本体１の外周部には、任意形状の環状部４を形成してあり、当該環状部４内に、留め環としての例えばカラビナを取付け、当該カラビナを介してエアタンクを背負うための背負子などに設けられている環状部材に引掛けることによって、一対のフィン本体１０を手に持たずにダイビングポイントまで安全に移動することができるようになる。
【００２３】
なお、フィンホルダー本体１を解除するには、バックル１５に設けられている前記切欠部１６内に位置している両方の係合爪５，５を親指と人差し指で互いに内側に押し込むことによって簡単に行なうことができる。すなわち、バックル１５の両側に設けられている切欠部１６，１６内にあらわれているフィンホルダー本体１の係合爪５，５は前記したように高分子材料により製されており、当該高分子材料が有する弾性特性に基づき係合爪５，５の両側を内方へ押し込むことによりバックル１５とフィンホルダー本体１の係合状態が解除されるものである。
【００２４】
次に、図５及び図６に示す実施形態は、前記した２つの実施形態に係る保持手段を合体させて構成したものであり、フィンホルダー本体１の任意の一方の側に、前記した一対の開口部２と抱持部３とからなる保持手段を設けると共に、他方の側に前記ストラップ係止用のバックル１５内に係合させる一対の係合爪５からなる保持手段を設けたものであり、その使用方法は前記した実施形態の場合と同様であるから詳細な説明は省略する。
この実施形態のフィンホルダーの場合には、一つのホルダーで二通りの使い方ができ、一層便利なフィンホルダーを提供することができる。
【００２５】
以上のように、本発明によれば、バラバラな状態の一対のフィンを簡単な操作で一纏めにすることができ、且つ適宜のフックやカラビナなどの留め環を介して、ダイバーなどが身に纏う装備品類に通常設けられている環状部材に引掛けることにより、一対のフィンを手で保持する不便を解消することができ、ダイビングポイントまで安全に移動することができるようになる。
【符号の説明】
【００２６】
１：フィンホルダー本体
２：開口部
３：抱持部
４：環状部
５：係合爪
６：ガイド部材
７：段部
１０：フィン本体
１１：リブ突片
１１ａ：非嵩高部
１１ｂ：嵩高部
１２：ブレード部
１３：フットポケット部
１４：足装着用開口部
１５：バックル
１６：切欠部